(57)【要約】    【課題】記憶デバイスがアイドル状態のとき電源供給を停止して更なる低消費電力化を可能とする。    【解決手段】  ハードディスクドライブ３０はＳＡＴＡスインタフェースを備え、ＵＳＢインタフェースを備えた外部装置との間でデータを入出力する。ハードディスクドライブ３０に対する電源供給線に設けられた電源制御スイッチとしてＰ型ＭＯＳ−ＦＥＴ５２を設ける。変換制御ＬＳＩ２８は、ハードディスクドライブ３０のＳＡＴＡイスインタフェースと外部のＵＳＢインタフェースとの間で相互に信号変換すると共に、ハードディスクドライブ３０のアイドル状態を検出した際に、Ｐ型ＭＯＳ−ＦＥＴ５２をオフ制御してハードディスクドライブ３０に対する電源供給を遮断してパワーセーブする。    【選択図】      図３
2009015752.tif 000002
【特許請求の範囲】
【請求項１】
所定のデバイスインタフェースを備え、所定の外部インタフェースを備えた外部装置との間でデータを入出力する記憶デバイスと、
前記記憶デバイスに対する電源供給線に設けられた電源制御スイッチと、
前記記憶デバイスのデバイスインタフェースと前記外部インタフェースとの間で相互に信号を変換すると共に、前記記憶デバイスが前記外部装置に対する入出力のないアイドル状態へ移行した際に、前記電源制御スイッチをオフ制御して前記記憶デバイスに対する電源供給を遮断する変換制御回路と、
を備えたことを特徴とする記憶装置。
【請求項２】
請求項１記載の記憶装置に於いて、前記変換制御回路は、前記電源制御スイッチをオフ制御して前記記憶デバイスに対する電源供給を遮断した後に、前記外部装置から入出力要求を受信した際に、前記電源制御スイッチをオン制御して前記記憶デバイスに対し電源を供給して再起動させることを特徴とする記憶装置。
【請求項３】
請求項１記載の記憶装置に於いて、前記記憶デバイスと前記変換制御回路を接続する前記デバイスインタフェースの信号線の各々に、直流電力をカットするコンデンサを挿入接続したことを特徴とする記憶装置。
【請求項４】
請求項１記載の記憶装置に於いて、前記デバイスインタフェースをＳＡＴＡインタフェースとし、前記外部インタフェースをＵＳＢインタフェース、ｅＳＡＴＡインタフェース又はＩＥＥＥ−１３９４インタフェースとしたことを特徴とする記憶装置。
【請求項５】
請求項１記載の記憶装置に於いて、
前記記憶デバイスはアイドル状態に移行した際に、所定の時間が経過する毎に、パワーセーブの度合いを順次高め、
前記変換制御部は、前記記憶デバイスが最も高いパワーセーブの度合いに移行したことを検出した際に、前記電源制御スイッチをオフ制御して前記記憶デバイスに対する電源供給を遮断することを特徴とする記憶装置。
【請求項６】
請求項１記載の記憶装置に於いて、
前記記憶デバイスは磁気ディスク装置であり、アイドル状態に移行した際に、所定の時間が経過する毎に、ヘッドアクチュエータを駆動するボイスコイルモータをロックするＶＣＭロック、ヘッドアクチュエータを停止位置に戻して前記ボイスコイルモータの通電を停止するヘッドアンロード、及びディスク媒体を一定速度で回転しているスピンドルモータを停止するスピンドル停止の各パワーセーブモードに順次移行し、
前記変換制御部は、前記スピンドル停止のパワーセーブモードを検出した後に、前記電源制御スイッチをオフ制御して前記磁気ディスク装置に対する電源供給を遮断することを特徴とする記憶装置。
【請求項７】
上位装置に外付けして使用される記憶装置に於いて、
ＳＡＴＡインタフェースを備えた記憶デバイスと、
前記記憶デバイスをＳＡＴＡ信号ケーブルにより接続すると共に、前記上位装置からのｅＳＡＴＡ信号ケーブルを着脱自在に接続可能なｅＳＡＴＡインタフェースコネクタと、
前記記憶デバイスを電源線とグランド線を備えた電源ケーブルで接続すると共に、前記上位装置からのＵＳＢケーブルを着脱自在に接続可能なＢ型ＵＳＢコネクタと、
を備えたことを特徴とする記憶装置。
【請求項８】
請求項７記載の記憶装置に於いて、更に、前記Ｂ型ＵＳＢコネクタから引き出された電源線、グランド線及び一対の信号線を接続したＡ型ＵＳＢコネクタを設けたことを特徴とする記憶装置。
【請求項９】
請求項８記載の記憶装置に於いて、前記ｅＳＡＴＡインタフェースコネクタとＢ型ＵＳＢコネクタを装置筐体のリアパネル側に配置し、前記Ａ型ＵＳＢコネクタを装置筐体のフロントパネル側に配置したことを特徴とする記憶装置。
【請求項１０】
上位装置に外付けして使用される記憶装置に於いて、
ＡＴＡインタフェースを備えた記憶デバイスと、
前記上位装置からのｅＳＡＴＡ信号ケーブルを着脱自在に接続可能なｅＳＡＴＡインタフェースコネクタと、
前記記憶デバイスと前記ｅＳＡＴＡインタフェースコネクタとの間に配置され、前記ＡＴＡインタフェースとＳＡＴＡインタフェースとの間で信号変換するインタフェース変換回路と、
前記記憶デバイスを電源線とグランド線を備えた電源ケーブルで接続すると共に、前記上位装置からのＵＳＢケーブルを着脱自在に接続可能なＢ型ＵＳＢコネクタと、
を備えたことを特徴とする記憶装置。
【発明の詳細な説明】
【技術分野】
【０００１】
本発明は、パーソナルコンピュータ等にＵＳＢケーブルで接続して使用するＳＡＴＡインタフェース等のデバイスインタフェースを備えたハードディスクドライブ等の記憶デバイスを内蔵した記憶装置に関し、特に、記憶デバイスの消費電力の低減、電源供給の損失低減、更に記憶デバイスの電源供給に外部装置のＵＳＢポートを使用したことに伴う対応を可能とする記憶装置に関する。
【背景技術】
【０００２】
（第１発明の背景技術）
従来、パーソナルコンピュータ等の機器にＵＳＢケーブルにより接続して使用するポータブル型の記憶装置が普及している。
【０００３】
このようなポータブル型の記憶装置にあっては、装置筐体に設けたＵＳＢコネクタにパーソナルコンピュータからのＵＳＢケーブルを接続すると、記憶装置の電源がオンとなり、パーソナルコンピュータのサブシステムとして情報の記録再生やデータのバックアップに使用することができる。
【０００４】
ポータブル型の記憶装置は、内部に記憶デバイスとしてハードディスクドライブ（ＨＤＤ）を内蔵しており、ハードディスクドライブのデバイスインタフェースとしては、通常、ＡＴＡインタフェースが設けられ、近年にあってはＳＡＴＡインタフェースの普及も始まっている。このため記憶装置には、ハードディスクドライブのＡＴＡ又はＳＡＴＡインタフェースとパーソナルコンピュータのＵＳＢインタフェースとの変換を行うインタフェース変換ＬＳＩが内蔵されている。
【０００５】
このようなポータブル型の記憶装置では、ＵＳＢケーブルによりパーソナルコンピュータから電源供給を受けており、アイドル状態で消費電力を低減するパワーセーブ制御が重要である。
【０００６】
従来のパワーセーブ制御は、ハードディスク装置にデフォルトとして設定されたモードを使用している。例えばパワーセーブモードとしてパワーセーブの少ない順にＡＰＭモード１，２を決め、いずれかのモードを選択設定できるようにしている。
【０００７】
ここでＡＰＭモード１は時間の経過に伴ってＶＣＭロックのアクティブアイドルから最終的にヘッドアンロードの低パワーアイドルに移行するモードである。またＡＰＭモード２は、ＡＰＭモード１に加え、時間の経過に伴ってスピンドルモータを停止するスタンバイ状態（スリープモード）に移行するモードである。
【０００８】
このようなハードディスクドライブのパワーセーブモードは、ＡＴＡインタフェースによりパーソナルコンピュータに接続している場合には、パーソナルコンピュータからの特殊コマンドによりモードを切り替えることができる。
【０００９】
しかし、ＵＳＢケーブルでパーソナルコンピュータに接続して使用するポータブル型の記憶装置の場合、ＵＳＢインタフェースではハードディスクドライブのパワーセーブモードを切替える特殊コマンドは発行できないため、ハードディスクドライブにデフォルトのパワーセーブモードとしてＡＰＭモード１又はＡＰＭモード２を初期設定し、ＵＳＢケーブルの接続による電源投入ときにデフォルトとして初期設定したＡＰＭモードで立ち上がるようにしている。
【００１０】
（第２発明の背景技術）
従来、ポータブル型の記憶装置にあっては、内蔵機器向けのＳＡＴＡインタフェースを外付け機器向けに拡張したＥｘｔｅｒｎａｌ Ｓｅｒｉａｌ ＡＴＡ（以下「ｅＳＡＴＡ」という）を使用して高速転送を可能としている。
【００１１】
このようなｅＳＡＴＡインタフェースを使用したポータブル型の記憶装置にあっては、パーソナルコンピュータにｅＳＡＴＡケーブルで接続すると共に、ＡＣアダプタなどにより外部の専用電源を接続して使用している。
【特許文献１】実用新案登録第３１０９８６８号公報
【特許文献２】特開２００５−３４６１２３号公報
【特許文献３】特開２００５−３０１３９０号公報
【発明の開示】
【発明が解決しようとする課題】
【００１２】
（第１発明の解決課題）
しかしながら、第１発明の背景技術に示した従来のＵＳＢインタフェースとＡＴＡ又はＳＡＴＡインタフェースを変換するＬＳＩを内蔵した記憶装置にあっては、ハードディスクドライブがアイドル状態に移行した場合、例えばＡＰＭモード２を設定していたとしても、スピンドルモータを停止するスリープモードに移行した場合に最も高いパワーセーブとなるが、ポータブル型の記憶装置をノートブック型のパーソナルコンピュータに接続しているような場合には、搭載バッテリーの消耗を低減するために更なる低消費電力化が求められている。
【００１３】
またポータブル型の記憶装置を使用する場合の低消費電力化を更にはかるため、例えばファイル等のデータを入出力する際にだけ記憶装置をＵＳＢケーブルで接続し、それ以外ではＵＳＢケーブルを外しておくような使い方も考えられるが、その都度、ＵＳＢケーブルを抜き差しすることは煩わしく、現実的な解決にはならない。
【００１４】
本発明は、記憶デバイスがアイドル状態に移行している時に電源供給を停止して更なる低消費電力化を可能とする記憶装置を提供することを目的とする。
【００１５】
（第２発明の解決課題）
しかしながら、第３発明の背景技術に示した従来のｅＳＡＴＡインタフェースを使用した外付けタイプの記憶装置にあっては、ＵＳＢインタフェースのようにインタフェース自体に電源が用意されていないため、ＡＣアダプタなどの専用の外部電源が使える環境での使用に限定されてしまう問題がある。
【００１６】
このためノートブック型のパーソナルコンピュータと組み合わせて外付け記憶装置を使用するモバイル環境では、ｅＳＡＴＡインタフェースを備えた記憶装置は使用できないため、専用電源を必要としないＵＳＢインターフェースを備えた記憶装置を選択することになる。しかし、ＵＳＢインタフェースでは例えば６０ＭＢ／秒と高速転送に限界があり、最大転送速度が１５０ＭＢ／秒とより高速のｅ−ＳＡＴＡインタフェースを専用電源を必要とすることなく使用可能とすることが望まれている。
【００１７】
本願の第３発明は、ＡＣアダプタ等の外部専用電源を必要とすることなくｅＳＡＴＡインタフェースにより外付けして使用可能な記憶装置を提供することを目的とする。
【課題を解決するための手段】
【００１８】
（第１発明）
本願の第１発明は記憶装置を提供する。本発明の記憶装置は、
所定のデバイスインタフェースを備え、所定の外部インタフェースを備えた外部装置との間でデータを入出力する記憶デバイスと、
記憶デバイスに対する電源供給線に設けられた電源制御スイッチと、
記憶デバイスのデバイスインタフェースと前記外部インタフェースとの間で相互に信号変換すると共に、外部装置に対する入出力のない記憶デバイスのアイドル状態を検出した際に、電源制御スイッチをオフ制御して記憶デバイスに対する電源供給を遮断する変換制御回路と、
を備えたことを特徴とする。
【００１９】
ここで、変換制御回路は、電源制御スイッチをオフ制御して記憶デバイスに対する電源供給を遮断した後に、外部装置から入出力要求を受信した際に、電源制御スイッチをオン制御して記憶デバイスに対し電源を供給して再起動させる。
【００２０】
記憶デバイスと変換制御回路を接続するデバイスインタフェースの信号線の各々に、直流電力をカットするコンデンサを挿入接続する。
【００２１】
デバイスインタフェースをシリアルＡＴＡインタフェースとし、外部インタフェースをＵＳＢインタフェース、外部型シリアルＡＴＡインタフェース又はＩＥＥＥ−１３９４インタフェースとする。
【００２２】
記憶デバイスはアイドル状態に移行した際に、所定の時間が経過する毎に、パワーセーブの度合いを順次高め、変換制御部は、記憶デバイスが最も高いパワーセーブの度合いに移行したことを検出した際に、電源制御スイッチをオフ制御して記憶デバイスに対する電源供給を遮断する。
【００２３】
記憶デバイスを磁気ディスク装置とした場合、磁気ディスク装置は、アイドル状態に移行した際に、所定の時間が経過する毎に、ヘッドアクチュエータを駆動するボイスコイルモータをロックするＶＣＭロック、ヘッドアクチュエータを停止位置に戻してボイスコイルモータの通電を停止するヘッドアンロード、及びディスク媒体を一定速度で回転しているスピンドルモータを停止するスピンドル停止の各パワーセーブモードに順次移行し、
変換制御部は、スピンドル停止のパワーセーブモードを検出した後に、電源制御スイッチをオフ制御して磁気ディスク装置に対する電源供給を遮断する。
【００２４】
（第２発明）
本願の第３発明は、上位装置に外付けして使用される記憶装置に於いて、
ＳＡＴＡインターフェースを備えた記憶デバイスと、
記憶デバイスをＳＡＴＡ信号ケーブルにより接続すると共に、上位装置からのｅＳＡＴＡ信号ケーブルを着脱自在に接続可能なｅＳＡＴＡインタフェースコネクタと、
記憶デバイスを電源線とグランド線を備えた電源ケーブルで接続すると共に、上位装置からのＵＳＢケーブルを着脱自在に接続可能なＢ型ＵＳＢコネクタと、
を備えたことを特徴とする。
【００２５】
第３発明の記憶装置は、更に、Ｂ型ＵＳＢコネクタから引き出された電源線、グランド線及び一対の信号線を接続したＡ型ＵＳＢコネクタを設けたことを特徴とする。この場合、ｅＳＡＴＡインタフェースコネクタとＢ型ＵＳＢコネクタを装置筐体のリアパネル側に配置し、Ａ型ＵＳＢコネクタを装置筐体のフロントパネル側に配置する。
【００２６】
第３発明の別の形態にあっては、上位装置に外付けして使用される記憶装置に於いて、
ＡＴＡインターフェースを備えた記憶デバイスと、
上位装置からのｅＳＡＴＡ信号ケーブルを着脱自在に接続可能なｅＳＡＴＡインタフェースコネクタと、
記憶デバイスと前記ｅＳＡＴＡインタフェースコネクタとの間に配置され、ＡＴＡインタフェースとＳＡＴＡインタフェースとの間で信号変換するインタフェース変換回路と、
記憶デバイスを電源線とグランド線を備えた電源ケーブルで接続すると共に、上位装置からのＵＳＢケーブルを着脱自在に接続可能なＢ型ＵＳＢコネクタと、
を備えたことを特徴とする。
【００２７】
第３発明の記憶装置は、更に、Ｂ型ＵＳＢコネクタから引き出された電源線、グランド線及び一対の信号線を接続したＡ型ＵＳＢコネクタを設ける。この場合、ｅＳＡＴＡインタフェースコネクタとＢ型ＵＳＢコネクタを装置筐体のリアパネル側に配置し、Ａ型ＵＳＢコネクタを装置筐体のフロントパネル側に配置する。
【発明の効果】
【００２８】
（第１発明の効果）
本願の第１発明によれば、ＵＳＢインタフェースで接続した外部装置としてのホストからアクセスがなくなると、記憶デバイスとして設けた例えば磁気ディスク装置はアイドルモードに移行し、アイドルモードでは段階的にパワーセーブの度合いが順次高くなるモードに移行するが、更に第１発明にあっては、インタフェース変換を行う変換制御回路により電源制御スイッチをオフ制御して記憶デバイスに対する電源供給を切断し、大幅な消費電力の削減が可能となり、パーソナルコンピュータ等の外部装置のバッテリー消耗を低減することができる。
【００２９】
また記憶デバイスの電源を切断しても、変換制御回路の電源は切断しないので、デバイスインタフェースの信号線を変換制御回路から電源を切断した記憶デバイスにＤＣ電流が流れてしまうが、第１発明にあっては、デバイスインタフェースの信号線の各々にコンデンサを挿入接続してＡＣ結合とすることで、記憶デバイスに流れるＤＣ電流を阻止し、更なる消費電流の低減を実現できる。
【００３０】
（第２発明の効果）
本発明によれば、上位装置との基本的なインタフェースはｅＳＡＴＡインタフェースとしてｅＳＡＴＡインタフェースコネクタを設け、これに追加してＵＳＢコネクタを設け、ＵＳＢインタフェースのバスパワーをハードディスクドライブ等の記憶デバイスに電源として供給し、ｅＳＡＴＡインタフェースであってもＡＣアダプタ等の専用の外部電源を必要とせず、ノートブック型のパーソナルコンピュータを使用するモバイル環境であっても、ｅＳＡＴＡケーブルとＵＳＢケーブルを使用して接続することで使用でき、ｅＳＡＴＡインタフェースによる記憶デバイスとの間の高速転送ができる。
【００３１】
また第３発明の記憶装置を外付けすることで、パーソナルコンピュータ側のＵＳＢポートを占有してしまうことから、ＵＳＢバスパワーの供給を受けるＢ型ＵＳＢコネクタに加え、パーソナルコンピュータ側と同じＡ型ＵＳＢコネクタを追加してＢ型ＵＳＢコネクタから配線することで、パーソナルコンピュータのＵＳＢポートに接続して使用するマウスやメモリスティック等の比較的消費電力の小さい外付け機器を本発明の記憶装置側に接続可能とし、パーソナルコンピュータのＵＳＢポートを占有した分をカバーする。
【００３２】
更に、装置筐体のフロントパネル側にＡ型ＵＳＢコネクタを追加して配置することで、マウスやメモリスティック等の外付け機器の取り扱いを容易にできるようにする。
【００３３】
第３発明の別の形態となる外付けして使用される記憶装置にあっては、記憶デバイスのインタフェースとして入手性が良く廉価なＡＴＡインタフェース（ＩＤＥインタフェースのＡＮＳＩで規格化された名称）を使用し、この場合には、記憶デバイスとｅＳＡＴＡインタフェースコネクタとの間にインタフェース変換回路を配置してＡＴＡインタフェースとｅＳＡＴＡインタフェースとの相互の信号変換を行い、ｅＳＡＴＡインタフェースを使用可能として高速転送することができる。
【発明を実施するための最良の形態】
【００３４】
（第１発明の実施形態）
図１は本発明による記憶装置の実施形態としてポータブル型のハードディスクサブシステムを示した説明図である。図１において、ハードディスクサブシステム１０は、厚さが１５〜２０ｍｍ程度で掌サイズのブック型の筐体１２を有し、筐体１２の前部にＵＳＢコネクタ１４及びＬＥＤを用いたインジケータ１６を設けている。
【００３５】
ＵＳＢコネクタ１４にはパーソナルコンピュータなどの外部装置からのＵＳＢケーブルが接続される。ＵＳＢコネクタ１４に外部装置からのＵＳＢケーブルを接続すると、ハードディスクサブシステム１０に対し電源が供給されて動作状態となる。
【００３６】
図２は本実施形態におけるハードディスクサブシステムの内部構造を示したブロック図である。図２において、本実施形態のハードディスクサブシステム１０は、外部装置としてのパーソナルコンピュータ１８のＵＳＢコネクタ２０に対し、ＵＳＢケーブル２２によりＵＳＢコネクタ１４で接続される。
【００３７】
ハードディスクサブシステム１０の内部にはインタフェース変換基板２６が設けられ、インタフェース変換基板２６には変換制御ＬＳＩ２８が実装されている。またハードディスクサブシステム１０内には、記憶デバイスとして動作するハードディスクドライブ３０が設けられている。ハードディスクドライブ３０はデバイスインタフェースとして例えばＳＡＴＡインタフェースを使用している。ハードディスクドライブ３０は電源コネクタ３２とＳＡＴＡコネクタ３４を有し、それぞれインタフェース変換基板２６に接続している。
【００３８】
図３は本実施形態によるハードディスクサブシステムの回路構成を、その機能構成と共に示したブロック図である。図３において、ハードディスクサブシステム１０に設けたＵＳＢコネクタ２４には、ＶＢＵＳピン３６、ＵＳＢ信号ピン３８，４０、及びグランドピン４２が設けられている。ＶＢＵＳピン３６に対しては、ＵＳＢケーブルの接続によりパーソナルコンピュータからＤＣ５ボルトの電源が供給される。
【００３９】
ＵＳＢコネクタ１４のＶＢＵＳピン３６からはＵＳＢ電源線４４が引き出され、またグランドピン４２からはＵＳＢグランド線５０が引き出され、それぞれ変換制御ＬＳＩ２８とハードディスクドライブ３０に接続され、電源を供給している。
【００４０】
ハードディスクドライブ３０にはパワーセーブ処理部６４が設けられている。パワーセーブ処理部６４によるパワーセーブ機能にはＡＰＭモード１とＡＰＭモード２がある。
【００４１】
ＡＰＭモード１は次の手順でパワーセーブを行う。
（１）アイドル状態からＴ１＝０．１〜０．２秒を経過すると、ＶＣＭロックとするアクティブアイドルのパワーセーブモードに入る。
（２）アクティブアイドルに入って、Ｔ２＝１０〜２７．５秒に定めた時間を経過すると、ＶＣＭロックに加え、ヘッドアクチュエータを初期位置に戻すヘッドアンロードのパワーセーブモードに移行する。
【００４２】
一方、ＡＰＭモード２のパワーセーブ処理にあっては、前述したＡＰＭモード１の（１）（２）のアクティブアイドル及びヘッドアンロードに加え、次の（３）のパワーセーブを行う。
（３）ヘッドアンロードに入ってからＴ３＝１０〜４０秒の範囲内で設定した時間を経過した後に、スタンバイモードに移行してスピンドルモータを停止する。
【００４３】
なお、ＡＰＭモードのアイドル時間監視は、ハードディスクドライブに設けたＣＰＵのタイマを使用して行う。
【００４４】
ＵＳＢコネクタ１４とハードディスクドライブ３０の間に設けた変換制御ＬＳＩ２８にはＵＳＢ−ＳＡＴＡ変換制御部６６及び電源制御部６８の機能が設けられる。また変換制御ＬＳＩ２８には、汎用入出力ポードとしてＧＰ−ＩＯポート５４が設けられている。
【００４５】
このようなＵＳＢ−ＳＡＴＡのインタフェース変換を行う変換制御ＬＳＩ２８としては、例えばイニシオ社製（Ｉｎｉｔｉｏ  Ｃｏｒｐｏｒａｔｉｏｎ）のＵＳＢ−ｔｏ−ＳＡＴＡブリッジであるＩＮＩＣ１６１０などを使用することができる。
【００４６】
更に本実施形態にあっては、ＵＳＢコネクタ１４のＶＢＵＳピン３６から引き出されたハードディスクドライブ３０に電源を供給するＵＳＢ電源線４４に、電源制御スイッチとして機能するＰ型ＭＯＳ−ＦＥＴ５２を接続している。
【００４７】
Ｐ型ＭＯＳ−ＦＥＴ５２はソースＳをＵＳＢコネクタ１４側のＵＳＢ電源線４４に接続し、ドレインＤをハードディスクドライブ３０側に接続し、更にゲートＧに対し変換制御ＬＳＩ２８のＧＰ−ＩＯポート５４を接続している。
【００４８】
Ｐ型ＭＯＳ−ＦＥＴ５２は、ＧＰ−ＩＯポート５４がＬレベルのときオンし、ＵＳＢコネクタ１２４からの電源電圧ＤＣ５ボルトをハードディスクドライブ３０に供給する。またＧＰ−ＩＯポート５４がＨレベルのときＰ型ＭＯＳ−ＦＥＴ５２はオフし、ハードディスクドライブ３０に対する電源を切断する。
【００４９】
変換制御ＬＳＩ２８に設けたＵＳＢ−ＳＡＴＡ変換制御部６６は、ハードディスクドライブ３０に設けたＳＡＴＡインタフェースと、ＵＳＢコネクタ１４を介して接続するホスト側のＵＳＢインタフェースとの間の入出力における相互の信号変換を行う。
【００５０】
また変換制御ＬＳＩ２８に設けた電源制御部６８は、ハードディスクドライブ３０が外部装置からの入出力がなくなるアイドル状態に移行して、変換制御ＬＳＩ２８に設けているタイマで所定時間の経過を判別すると、ＧＰ−ＩＯポート５４の信号レベルをそれまでのＬレベルからＨレベルに制御し、これによってＰ型ＭＯＳ−ＦＥＴ５２をオフとして、ハードディスクドライブ３０に対する電源を切断する。
【００５１】
また電源制御部６８は、Ｐ型ＭＯＳ−ＦＥＴ５２のオフでハードディスクドライブ３０に対する電源供給を停止した後、外部のパーソナルコンピュータからアクセスコマンドを受信すると、ＧＰ−ＩＯポート５４をそれまでのＨレベルからＬレベルとすることで、Ｐ型ＭＯＳ−ＦＥＴ５２をオンし、ハードディスクドライブ３０に対し電源を供給して再起動させる。
【００５２】
電源制御部６８によるハードディスクドライブ３０に対する電源の切断は、具体的にはハードディスクドライブ３０に設けたパワーセーブ処理部６４において、パワーセーブの度合が最も高い前述したＡＰＭモード２における（３）のスピンドルモータを停止するスリープモードに入ったことを検出してから所定時間経過したときに、ＧＰ−ＩＯポート５４をＨレベルに切り替えて、Ｐ型ＭＯＳ−ＦＥＴ５２のオフによりハードディスクドライブ３０に対する電源供給を切断する。
【００５３】
更に本実施形態にあっては、変換制御ＬＳＩ２８とハードディスクドライブ３０を接続するＳＡＴＡインタフェース信号ケーブル５５について、４本のインタフェース信号線５５−１〜５５−４のそれぞれにコンデンサ５６，５８，６０及び６２を挿入接続し、変換制御ＬＳＩ２８とハードディスクドライブ３０のＳＡＴＡインタフェース接続をＡＣ結合としている。
【００５４】
このようにＳＡＴＡインタフェース信号ケーブル５５の各信号線５５−１〜５５−４にコンデンサ５６，５８，６０，６２を挿入接続しておくことで、変換制御ＬＳＩ２８の電源制御部６８によるＰ型ＭＯＳ−ＦＥＴ５２の制御でハードディスクドライブ３０に対する電源供給を切断した場合、ＳＡＴＡインタフェース信号ケーブル５５の各信号線を通って変換制御ＬＳＩ２８から電源を遮断したハードディスクドライブ３０に流れ込むＤＣ電流をカットし、ＤＣ電流が流れることに伴う電力消費を防止する。
【００５５】
即ち、本実施形態において変換制御ＬＳＩ２８がＰ型ＭＯＳ−ＦＥＴ５２の制御によりハードディスクドライブ３０に対する電源供給を停止した場合、ハードディスクドライブ３０の電源供給は停止されるが、変換制御ＬＳＩ２８に対しては電源供給が行われている。このため、ハードディスクドライブ３０の電源切断に伴い、ＳＡＴＡインタフェース信号ケーブル５５の各インタフェース信号線５５−１〜５５−４を通って、電源供給を受けている変換制御ＬＳＩ２８側からＤＣ電流がハードディスクドライブ３０側に流れ込むこととなり、このＤＣ電流による電力消費が解消できず、更に最悪の場合には電源停止状態でハードディスクドライブ３０に流れ込むＤＣ電流によりハードディスクドライブ３０側の回路に障害を起こす恐れもある。
【００５６】
これに対し本実施形態にあっては、インタフェース信号線５５−１〜５５−４にＤＣ電流をカットするコンデンサ５６，５８，６０，６２を挿入接続しているため、ハードディスクドライブ３０に対する電源供給を切断しても変換制御ＬＳＩ２８側からＤＣ電流が流れず、これによって無駄なＤＣ電流による電力消費を低減すると同時に、電源切断状態にＤＣ電流が流れ込むことによるハードディスクドライブ３０側の回路障害を防止することができる。
【００５７】
ここで、ＳＡＴＡインタフェース信号ケーブル５５で使用している信号線は上り用の２本のインタフェース信号線５５−１，５５−２と、下り用の２本のインタフェース信号線５５−３，５５−４の合計４本であり、従来のシリアルＡＴＡなどに比べると信号線の数が少ないため、ＤＣカット用のコンデンサを設けても回路スペース及びコスト的に問題は起きない。
【００５８】
また本実施形態にあっては、インタフェース信号線５５−１〜５５−４にコンデンサ５６〜６２を挿入接続しているが、ＳＡＴＡインタフェースを使用したハードディスクドライブによっては、ハードディスクドライブ自体のインタフェース信号線の部分にＤＣカット用のコンデンサを接続している場合がある。
【００５９】
このような場合には、外部的にコンデンサ５６〜６２を設けなくてもハードディスクドライブ３０の電源切断時のＤＣ電流をカットできる。もちろんハードディスクドライブ３０側にＤＣカット用のコンデンサが内蔵されていたとしても、図示の実施形態のように、外部のインタフェース信号線５５−１〜５５−４にコンデンサ５６〜６２を接続しても問題はなく、この場合にはハードディスクドライブ３０側の内蔵コンデンサとの合計容量に見合ったコンデンサ５６〜６２の容量を決めればよい。
【００６０】
図４は本実施形態で使用する変換制御ＬＳＩのハードウェア構成を示したブロック図である。図４において変換制御ＬＳＩ２８は、ＵＳＢコネクタ１４側からハードディスクドライブ３０側に向けて説明すると、ＵＳＢ物理層回路７０、ＵＳＢコア回路７２、データバッファ７４、ＳＡＴＡコントロール部７６、ＳＡＴＡトランスポート層回路７８、ＳＡＴＡリンク層回路８０及びＳＡＴＡ物理層回路８２を備えている。
【００６１】
また、インタフェース変換制御のためＣＰＵ８４が設けられる。ＣＰＵ８４のバス８５に対しては、シリアルフラッシュメモリ９２を接続した命令ＳＲＡＭ９０、レジスタファイル８８、コマンドバッファ８６及びデータバッファ７４を接続している。
【００６２】
更にＣＰＵ８４は、汎用入出力ポートとしてのＧＰ−ＩＯポート５４を持ち、ここに図３に示したＰ型ＭＯＳ−ＦＥＴ５２のゲートＧを接続して、ハードディスクドライブ３０に対する電源オフまたはオン制御ができるようにしている。
【００６３】
ＣＰＵ８４には、プログラム制御により実行される機能としてＵＳＢ−ＳＡＴＡ変換制御部６６及び電源制御部６８が設けられている。ＵＳＢ−ＳＡＴＡ変換制御部６６によるＵＳＢインタフェースとＳＡＴＡインタフェースの変換制御は、例えばＵＳＢ側からＳＡＴＡ側への変換制御を例にとると、ＵＳＢ物理層回路７０、ＵＳＢコア回路７２、データバッファ７４、ＳＡＴＡコントロール部７６、ＳＡＴＡトランスポート層回路７８、ＳＡＴＡリンク層回路８０及びＳＡＴＡ物理層回路８２からなる経路で、インタフェース信号の変換が行われる。
【００６４】
図５は本実施形態による電源制御処理を示したフローチャートであり、図４の変換制御ＬＳＩ２８に設けたＣＰＵ８４による電源制御部６８に対応したプログラムの実行により実現される処理となる。
【００６５】
図５において、本実施形態の電源制御処理は、ステップＳ１でハードディスクドライブ３０におけるパワーセーブ状態を検出して監視しており、ステップＳ２でスピンドルモータを停止するスリープモードを検出すると、ステップＳ３に進み、ＣＰＵ８４によるタイマの監視で予め定めた一定時間の経過を判別すると、ステップＳ４に進んでＧＰ−ＩＯポート５４をそれまでのＬレベルからＨレベルとすることで、図３に示したＰ型ＭＯＳ−ＦＥＴ５２をオフし、ハードディスクドライブ３０に対する電源供給をオフ制御する。
【００６６】
これによって、アイドル状態でスピンドルモータを停止するスタンバイモードに移行したハードディスクドライブ３０は、更に変換制御ＬＳＩ２８による制御で電源供給が停止され、ＵＳＢケーブルを接続しているパーソナルコンピュータ１８に搭載しているハードディスクサブシステム１０によるバッテリィ消耗を大幅に低減することができる。
【００６７】
ステップＳ４でハードディスクドライブ３０に対する電源オフ制御を行った後は、変換制御ＬＳＩ２８そのものに対しては電源は継続して供給されているため、この状態で、ステップＳ５においてパーソナルコンピュータなどのホストからのアクセスコマンド、具体的にはリードコマンドもしくはライトコマンドの受信の有無をチェックしている。
【００６８】
ホストからのアクセスコマンドを受信すると、ステップＳ６に進み、ＧＰ−ＩＯポート５４をＬレベルとすることでＰ型ＭＯＳ−ＦＥＴ５２をオンし、ハードディスクドライブ３０に対し電源オン制御を行って起動する。
【００６９】
ここで、変換制御ＬＳＩ２８にあっては、ハードディスクドライブ３０に対する電源を切断して停止している状態にあっても、外部のホスト側に対してはハードディスクドライブ３０をデバイスレディ状態としており、したがって、実際にはハードディスクドライブ３０の電源は停止して動作していないにもかかわらず、ホスト側にあってはハードディスクドライブ３０は有効に動作してデバイスレディ状態にあるものとみなして、アクセスコマンドを変換制御ＬＳＩ２８に送信してくることになる。
【００７０】
このようなステップＳ１〜Ｓ６の処理を、ステップＳ７でパーソナルコンピュータのログオフなどによる停止指示があるまで繰り返す。
【００７１】
なお上記の実施形態にあっては、外部装置として使用するパーソナルコンピュータの外部インタフェースとしてＵＳＢインタフェースを例に取るものであったが、これ以外にｅＳＡＴＡインタフェースやＩＥＥＥ−１３９４インタフェースなどを使用してもよい。
【００７２】
また、外部インタフェースとして使用するＩＥＥＥ−１３９４インタフェースは、インタとフェース自体で電源を供給できるため、ＵＳＢインタフェースと同等に使用できる。勿論、変換制御ＬＳＩ２８としては、ＩＥＥＥ−１３９４とＡＴＡ又はＳＡＴＳＡとの信号変換を行うものを使用する。
【００７３】
更に、外部インタフェースとしてｅＳＡＴＡインタフェースを使用した場合には、外部インタフェース自体から電源供給を得ることができないため、この場合には電源専用の電源アダプタを設けて電源ケーブルを接続する必要がある。また電源ケーブルを使用することなく、ＵＳＢケーブルを利用し、ＵＳＢケーブルから得られる電源を使用するようにしてもよい。
【００７４】
この場合、ハードディスクドライブ３０がＡＴＡインタフェースであれば変換制御ＬＳＩ２８としては、ＡＴＡとＳＡＴＳＡとの信号変換を行うものを使用する。またハードディスクドライブがＳＡＴＡインタフェースであれば、変換制御ＬＳＩ２８としてはインタフェース変換は不要であるが、電源制御部６８の機能を備えたものとする。
【００７５】
（第２発明の実施形態）
図６は本願の第３発明による記憶装置の実施形態となるハードディスクサブシステムを示した説明図である。図６において、第３発明の記憶装置の実施形態であるハードディスクサブシステム１００は、厚さが１５〜２０ｍｍ程度で掌サイズのブック型の筐体１０２を有し、筐体１０２の前部にｅＳＡＴＡコネクタ１０４、Ｂ型ＵＳＢコネクタ１０６、及びＬＥＤを用いたインジケータ１０８を設けている。
【００７６】
ｅＳＡＴＡコネクタ１０４には上位装置としてのパーソナルコンピュータなどの外部装置からのｅＳＡＴＡケーブルが接続される。またＢ型ＵＳＢコネクタ１０６にはパーソナルコンピュータからのＵＳＢケーブルが接続される。Ｂ型ＵＳＢコネクタ１０６にパーソナルコンピュータからのＵＳＢケーブルを接続すると、ハードディスクサブシステム１００に対し電源が供給されて動作状態となる。
【００７７】
図７は図６の実施形態によるハードディスクサブシステムの内部構造を示したブロック図である。図７において、本実施形態のハードディスクサブシステム１００は、パーソナルコンピュータ１１８に対し外付けして使用される。
【００７８】
即ちパーソナルコンピュータ１１８は、ｅＳＡＴＡポート及びＵＳＢポートを備えていることから、それぞれのポートに対し、ｅＳＡＴＡケーブル１１４のｅＳＡＴＡコネクタ１１０を接続すると共に、ＵＳＢケーブル１１６のＡ型ＵＳＢコネクタ２１２を接続し、ハードディスクサブシステム１００のｅＳＡＴＡコネクタ１０４にｅＳＡＴＡケーブル２１４を接続し、またＢ型ＵＳＢコネクタ１０６にＵＳＢケーブル１１６を接続する。
【００７９】
ここで、ｅＳＡＴＡケーブル１１４とＵＳＢケーブル１１６を使用したパーソナルコンピュータ１１８とハードディスクサブシステム１００のコネクタ接続において、各コネクタはケーブル側が雄コネクタ、パーソナルコンピュータ１１８及びハードディスクサブシステム１００側が雌コネクタとなっている。
【００８０】
ハードディスクサブシステム１００の内部には記憶デバイスとしてハードディスクドライブ１３０が設けられている。ハードディスクドライブ１３０はインタフェースとしてＳＡＴＡインタフェースを備えている。
【００８１】
ハードディスクドライブ１３０はＳＡＴＡ信号コネクタ１３２と電源コネクタ１３４を持ち、ＳＡＴＡ信号コネクタ１３２をｅＳＡＴＡコネクタ１０４に対しＳＡＴＡ信号ケーブル１３６で接続する。また電源コネクタ１３４をＢ型ＵＳＢコネクタ１０６にＵＳＢ電源ケーブル１３８で接続する。
【００８２】
図８は図６の実施形態によるハードディスクサブシステムの回路構成を示したブロック図である。図８において、ｅＳＡＴＡコネクタ１０４はコネクタピン１４０−１〜１４０−４を備え、それぞれ信号端子Ａ+，Ａ-，Ｂ-，Ｂ+として使用している。
【００８３】
ｅＳＡＴＡコネクタ１０４とハードディスクドライブ１３０のＳＡＴＡ信号コネクタ２３２を接続するＳＡＴＡ信号ケーブル１３６は、４本のＳＡＴＡ信号線１４４−１〜１４４−４を備えている。
【００８４】
ここでＳＡＴＡ信号ケーブル１３６にあっては、信号端子Ａ+，Ａ-となる２本のＳＡＴＡ信号線１４４−１，１４４−２でハードディスクドライブ１３０に対する下り信号回線を構成し、信号端子Ｂ-，Ｂ+に対応したＳＡＴＡ信号線１４４−３，１４４−４でパーソナルコンピュータ側に対する上り伝送回線を構成し、一組の上り下りの伝送回線で１レーンを構成している。
【００８５】
一方、Ｂ型ＵＳＢコネクタ１０６は、ＶＢＵＳ，Ｄ-，Ｄ+，ＧＮＤで示す４つのコネクタピン１４２−１〜１４２−４を備えている。本実施形態にあっては、このうちＵＳＢバスの電源電圧５ボルトが供給されるＶＢＵＳのコネクタピン１４２−１からＵＳＢ電源線１４６−１を引き出すと共に、ＧＮＤで示すコネクタピン１４２−４からＵＳＢグランド線１４６−４を引き出し、これを電源ケーブル１３８としてハードディスクドライブ１３０の電源コネクタ１３４に接続し、ＵＳＢインタフェースのバスパワーとなる電源電圧５ボルトをハードディスクドライブ１３０に供給している。
【００８６】
このような図６〜図８に示した本願第２発明の実施形態によれば、図７に示すように、パーソナルコンピュータ１１８に対しハードディスクサブシステム１００を外付けして使用する際にはｅＳＡＴＡケーブル１１４により接続することで、ＵＳＢケーブル１１６によりＵＳＢインタフェースのバスパワーとなる電源がハードディスクサブシステム１００のハードディスクドライブ１３０に供給されて動作状態となり、ハードディスクドライブ１３０とパーソナルコンピュータ１１８との間の入出力アクセスについてはｅＳＡＴＡインタフェースによる高速転送が行われる。
【００８７】
このため、ｅＳＡＴＡインタフェースを使用したハードディスクサブシステム１００であっても、ＡＣアダプタのような専用の外部電源を必要とせず、パーソナルコンピュータ１１８として例えばノートブック型のパーソナルコンピュータのように、ＡＣ電源をとることのできないモバイル環境で使用する場合であっても、ＵＳＢインタフェースによるパーソナルコンピュータ１１８からの電源供給によりハードディスクサブシステム１００を動作させ、データ転送についてはｅＳＡＴＡインタフェースによる高速伝送を実現することができる。
【００８８】
図９は本願の第２発明による記憶装置の他の実施形態となるハードディスクサブシステムの内部構成を示した説明図である。図９の実施形態にあっては、図７に示した実施形態におけるハードディスクサブシステム１００に、更にＡ型ＵＳＢコネクタ１４８を設けている。新たに設けたＡ型ＵＳＢコネクタ１４８に対しては、筐体内でＢ型ＵＳＢコネクタ１０６からＵＳＢ電源ケーブル１３８及びＵＳＢ信号ケーブル１５０が接続されている。
【００８９】
ハードディスクサブシステム１００に追加したＡ型ＵＳＢコネクタ１４８は、パーソナルコンピュータ１１８のＵＳＢポートがハードディスクサブシステム１００のＵＳＢケーブル１１６によるＡ型ＵＳＢコネクタ１１２の接続で占有されてしまうことから、この占有したＵＳＢポートの分をカバーするように、ハードディスクサブシステム１００にパーソナルコンピュータ１１８に設けているのと同じＡ型ＵＳＢコネクタ１４８を設け、Ｂ型ＵＳＢコネクタ１０６を介してパーソナルコンピュータ１１８のＵＳＢポートに接続している。
【００９０】
ハードディスクサブシステム１００に追加的に設けたＡ型ＵＳＢコネクタ１４８に対しては、比較的消費電力の小さい例えばマウス１５２を接続し、パーソナルコンピュータ１１８のＵＳＢポートをハードディスクサブシステム１００で占有した分を補う。
【００９１】
ハードディスクサブシステム１００にパーソナルコンピュータ１１８の占有分をカバーする形で設けたＡ型ＵＳＢコネクタ１４８に対しては、マウス１５２以外に、例えば消費電力の少ないフラッシュメモリを内蔵したＵＳＢスティックなどの機器を接続してもよい。
【００９２】
図１０は図９の実施形態におけるコネクタ配置位置を示した説明図である。図１０（Ａ）はハードディスクサブシステム１００を前面から見た説明図であり、筐体１０２−１のフロントパネル１５４に、図９のようにマウス１５２などを接続するパーソナルコンピュータ側のＵＳＢポートの占有分をカバーするＡ型ＵＳＢコネクタ１４８を設けている。
【００９３】
図１０（Ｂ）はハードディスクサブシステム１００のリア側であり、筐体１０２−１のリアパネル１５６に、ｅＳＡＴＡコネクタ１０４とＵＳＢバスパワーの供給に使用するＢ型ＵＳＢコネクタ１０６を設けている。
【００９４】
このように、Ａ型ＵＳＢコネクタ１４８をフロントパネル１５４に設け、リアパネル１５６にｅＳＡＴＡコネクタ１０４及びＢ型ＵＳＢコネクタ１０６を設けておくことで、図９のようにパーソナルコンピュータ１１８に対しハードディスクサブシステム１００を外付けして使用するような場合、使用中に接続状態を維持するｅＳＡＴＡコネクタ１０４及びＢ型ＵＳＢコネクタ１０６については、リアパネル１５６側に配置しておくことで、一度接続した後のコネクタ抜けなどを回避し、一方、フロントパネル２５４にＡ型ＵＳＢコネクタ１４８を設けていることで、パーソナルコンピュータ１１８で占有しているＵＳＢポートの代わりにハードディスクサブシステム１００のＡ型ＵＳＢコネクタ１４８を使用して、マウス２５２の接続による使用やメモリスティックなどの差込みによる使用などを容易に行うことができる。
【００９５】
図１１は本願の第２発明による記憶装置の他の実施形態となるハードディスクサブシステムを示した説明図である。図１８の実施形態にあっては、ハードディスクサブシステム１００の記憶デバイスとして設けたハードディスクドライブ１３０のインタフェースとして、低価格で入手性の良いＡＴＡインタフェースを持つハードディスクドライブ１３０を使用するようにしたことを特徴する。
【００９６】
ＡＴＡインタフェースは、ＩＤＥインタフェースについてＡＮＳＩによって規格化された名称であり、ＳＡＴＡインタフェース以前にパラレルＡＴＡインタフェースとして使用されていたものである。
【００９７】
このようにＡＴＡインタフェースを備えたハードディスクドライブ１３０を持つハードディスクサブシステム１００にあっては、パーソナルコンピュータ１１８とのインタフェースとしては図６３及び図９の実施形態と同様、ｅＳＡＴＡインタフェースによる高速転送を実現することから、ハードディスクサブシステム１００内にＳＡＴＡ−ＡＴＡ変換回路１６０を設けている。
【００９８】
ハードディスクサブシステム１００のそれ以外の構成は、図９の実施形態と同じである。即ち、ハードディスクサブシステムには、ｅＳＡＴＡコネクタ１０４、Ｂ型ＵＳＢコネクタ１０６に加え、パーソナルコンピュータ１１８のＵＳＢポートをハードディスクサブシステム１００の外付けで占有した分を補うＡ型ＵＳＢコネクタ１４８を設け、マウス１５２などを接続可能としている。
【００９９】
Ｂ型ＵＳＢコネクタ１０６から引き出されたＵＳＢ電源ケーブル１３８は、ハードディスクドライブ１３０の電源コネクタ１３４に接続されてＵＳＢバスパワーによる電源を供給すると同時に、ＳＡＴＡ−ＡＴＡ変換回路１６０にも接続され、ＵＳＢバスパワーによる電源を供給して変換動作を行わせている。Ａ型ＵＳＢコネクタ１４８は、Ｂ型ＵＳＢコネクタ１０６に対し、ＵＳＢ電源ケーブル１３８及びＵＳＢ信号ケーブル１５０で接続されている。
【０１００】
このように図１１の実施形態にあっては、ハードディスクサブシステム１００として、低価格で入手性の良いＡＴＡインタフェースを備えたハードディスクドライブ１３０を使用した場合についても、パーソナルコンピュータ１１８との間でｅＳＡＴＡインタフェースによる高速転送を可能とする。
【０１０１】
また電源供給については、ＵＳＢインタフェースのバスパワーを使用することで、ＡＣアダプタなどの専用電源を外部接続する必要がなく、更にパーソナルコンピュータ１１８のＵＳＢポートを電源供給のために占有した分を、ハードディスクサブシステム１００に設けたパーソナルコンピュータ１１８と同じＡ型ＵＳＢコネクタ１４８によりカバーし、ハードディスクサブシステム１００側に、マウス１５２やメモリスティックなどの消費電力の比較的少ない機器をＵＳＢケーブルにより接続して利用することができる。
【０１０２】
なお、上記の実施形態は、記憶デバイスとしてハードディスクドライブを内蔵したハードディスクサブシステムを例にとるものであったが、これに限定されず、記憶デバイスとして光ディスクドライブを内蔵した光ディスクサブシステムについても、全く同様に適用することができる。
【０１０３】
また本発明は、その目的と利点を損なうことのない適宜の変形を含み、更に上記の実施形態に示した数値による限定は受けない。
【０１０４】
ここで本発明の特徴をまとめて列挙すると次の付記のようになる。
（付記）
（付記１）
所定のデバイスインタフェースを備え、所定の外部インタフェースを備えた外部装置との間でデータを入出力する記憶デバイスと、
前記記憶デバイスに対する電源供給線に設けられた電源制御スイッチと、
前記記憶デバイスのデバイスインタフェースと前記外部インタフェースとの間で相互に信号を変換すると共に、前記記憶デバイスが前記外部装置に対する入出力のないアイドル状態へ移行した際に、前記電源制御スイッチをオフ制御して前記記憶デバイスに対する電源供給を遮断する変換制御回路と、
を備えたことを特徴とする記憶装置。（１）
【０１０５】
（付記２）
付記１記載の記憶装置に於いて、前記変換制御回路は、前記電源制御スイッチをオフ制御して前記記憶デバイスに対する電源供給を遮断した後に、前記外部装置から入出力要求を受信した際に、前記電源制御スイッチをオン制御して前記記憶デバイスに対し電源を供給して再起動させることを特徴とする記憶装置。（２）
【０１０６】
（付記３）（ＤＣカット用コンデンサ）
付記１記載の記憶装置に於いて、前記記憶デバイスと前記変換制御回路を接続する前記デバイスインタフェースの信号線の各々に、直流電力をカットするコンデンサを挿入接続したことを特徴とする記憶装置。（３）
【０１０７】
（付記４）
付記１記載の記憶装置に於いて、前記デバイスインタフェースをＳＡＴＡインタフェースとし、前記外部インタフェースをＵＳＢインタフェース、ｅＳＡＴＡインタフェース又はＩＥＥＥ−１３９４インタフェースとしたことを特徴とする記憶装置。（４）
【０１０８】
（付記５）（記憶デバイスのパワーセーブモード）
付記１記載の記憶装置に於いて、
前記記憶デバイスはアイドル状態に移行した際に、所定の時間が経過する毎に、パワーセーブの度合いを順次高め、
前記変換制御部は、前記記憶デバイスが最も高いパワーセーブの度合いに移行したことを検出した際に、前記電源制御スイッチをオフ制御して前記記憶デバイスに対する電源供給を遮断することを特徴とする記憶装置。（５）
【０１０９】
（付記６）
付記１記載の記憶装置に於いて、
前記記憶デバイスは磁気ディスク装置であり、アイドル状態に移行した際に、所定の時間が経過する毎に、ヘッドアクチュエータを駆動するボイスコイルモータをロックするＶＣＭロック、ヘッドアクチュエータを停止位置に戻して前記ボイスコイルモータの通電を停止するヘッドアンロード、及びディスク媒体を一定速度で回転しているスピンドルモータを停止するスピンドル停止の各パワーセーブモードに順次移行し、
前記変換制御部は、前記スピンドル停止のパワーセーブモードを検出した後に、前記電源制御スイッチをオフ制御して前記磁気ディスク装置に対する電源供給を遮断することを特徴とする記憶装置。（６）
【０１１０】
（付記７）
上位装置に外付けして使用される記憶装置に於いて、
ＳＡＴＡインタフェースを備えた記憶デバイスと、
前記記憶デバイスをＳＡＴＡ信号ケーブルにより接続すると共に、前記上位装置からのｅＳＡＴＡ信号ケーブルを着脱自在に接続可能なｅＳＡＴＡインタフェースコネクタと、
前記記憶デバイスを電源線とグランド線を備えた電源ケーブルで接続すると共に、前記上位装置からのＵＳＢケーブルを着脱自在に接続可能なＢ型ＵＳＢコネクタと、
を備えたことを特徴とする記憶装置。（７）
【０１１１】
（付記８）
付記７記載の記憶装置に於いて、更に、前記Ｂ型ＵＳＢコネクタから引き出された電源線、グランド線及び一対の信号線を接続したＡ型ＵＳＢコネクタを設けたことを特徴とする記憶装置。（８）
【０１１２】
（付記９）
付記８記載の記憶装置に於いて、前記ｅＳＡＴＡインタフェースコネクタとＢ型ＵＳＢコネクタを装置筐体のリアパネル側に配置し、前記Ａ型ＵＳＢコネクタを装置筐体のフロントパネル側に配置したことを特徴とする記憶装置。（９）
【０１１３】
（付記１０）
上位装置に外付けして使用される記憶装置に於いて、
ＡＴＡインタフェースを備えた記憶デバイスと、
前記上位装置からのｅＳＡＴＡ信号ケーブルを着脱自在に接続可能なｅＳＡＴＡインタフェースコネクタと、
前記記憶デバイスと前記ｅＳＡＴＡインタフェースコネクタとの間に配置され、前記ＡＴＡインタフェースとＳＡＴＡインタフェースとの間で信号変換するインタフェース変換回路と、
前記記憶デバイスを電源線とグランド線を備えた電源ケーブルで接続すると共に、前記上位装置からのＵＳＢケーブルを着脱自在に接続可能なＢ型ＵＳＢコネクタと、
を備えたことを特徴とする記憶装置。（１０）
【０１１４】
（付記１１）
付記１０記載の記憶装置に於いて、更に、前記Ｂ型ＵＳＢコネクタから引き出された電源線、グランド線及び一対の信号線を接続したＡ型ＵＳＢコネクタを設けたことを特徴とする記憶装置。
【０１１５】
（付記１２）
付記１１記載の記憶装置に於いて、前記ｅＳＡＴＡインタフェースコネクタとＢ型ＵＳＢコネクタを装置筐体のリアパネル側に配置し、前記Ａ型ＵＳＢコネクタを装置筐体のフロントパネル側に配置したことを特徴とする記憶装置。
【図面の簡単な説明】
【０１１６】
【図１】本願の第１発明による記憶装置の実施形態となるハードディスクサブシステムを示した説明図
【図２】本実施形態によるハードディスクサブシステムの内部構成を示したブロック図
【図３】本実施形態によるハードディスクサブシステムの回路機能を示したブロック図
【図４】本実施形態で使用する変換制御ＬＳＩの回路構成を示したブロック図
【図５】本実施形態による電源制御処理を示したフローチャート
【図６】本願の第２発明による記憶装置の実施形態となるハードディスクサブシステムを示した説明図
【図７】図６の実施形態によるハードディスクサブシステムの内部構成を示したブロック図
【図８】図７の実施形態によるハードディスクサブシステムの回路機能を示したブロック図
【図９】本願の第２発明による記憶装置の他の実施形態となるハードディスクサブシステムの内部構成を示したブロック図
【図１０】図９の実施形態におけるコネクタ配置位置を示した説明図
【図１１】本願の第２発明による記憶装置の他の実施形態となるハードディスクサブシステムを示した説明図
【符号の説明】
【０１１７】
１０：ハードディスクサブシステム
１２：筐体
１４：ＵＳＢコネクタ
１６：インジケータ
１８：パーソナルコンピュータ
２０：ＵＳＢコネクタ
２２：ＵＳＢケーブル
２６：インタフェース変換基板
２８：変換制御ＬＳＩ
３０：ハードディスクドライブ
３２：電源コネクタ
３４：ＳＡＴＡコネクタ
３６：ＶＢＵＳピン
３８，４０：ＵＳＢ信号ピン
４２：グランドピン
４４：ＵＳＢ電源線
４６，４８：ＵＳＢ信号線
５０：ＵＳＢグランド線
５２：Ｐ型ＭＯＳ−ＦＥＴ
５４：ＧＰ−ＩＯポート
５５：ＳＡＴＡインタフェース信号ケーブル
５６，５８，６０，６２：コンデンサ
６４：パワーセーブ処理部
６６：ＵＳＢ−ＳＡＴＡ変換制御部
６８：電源制御部
７０：ＵＳＢ物理層回路
７２：ＵＳＢコア回路
７４：データバッファ
７６：ＳＡＴＡコントロール部
７８：ＳＡＴＡトランスポート層回路
８０：ＳＡＴＡリンク層回路
８２：ＳＡＴＡ物理層回路
８４：ＣＰＵ
８５：バス
８６：コマンドバッファ
８８：レジスタファイル
９０：命令ＳＲＡＭ
９２：シリアルフラッシュメモリ
１００：ハードディスクサブシステム
１０２，２０２−１：筐体
１０４，２１０：ｅＳＡＴＡコネクタ
１０６：Ｂ型ＵＳＢコネクタ
１４８：Ａ型ＵＳＢコネクタ
１２０８：インジケータ
１１４：ｅＳＡＴＡケーブル
１１６：ＵＳＢケーブル
１１８：パーソナルコンピュータ
１３０：ハードディスクドライブ
１３２：ＳＡＴＡ信号コネクタ
１３４：電源コネクタ
１３６：ＳＡＴＡ信号ケーブル
１３８：ＵＳＢ電源ケーブル
１４０−１〜１４０−４，１４２−１〜１４２−４：コネクタピン
１４４−１〜１４４−４：ＳＡＴＡ信号線
１４６−１：ＵＳＢ電源線
１４６−４：ＵＳＢグランド線
１５０：ＵＳＢ信号ケーブル
１５２：マウス
１５４：フロントパネル
１５６：リアパネル
１６０：ＳＡＴＡ−ＡＴＡ変換回路
１６２：ＡＴＡ信号コネクタ
【図１】
2009015752.tif 000003
【図２】
2009015752.tif 000004
【図３】
2009015752.tif 000005
【図４】
2009015752.tif 000006
【図５】
2009015752.tif 000007
【図６】
2009015752.tif 000008
【図７】
2009015752.tif 000009
【図８】
2009015752.tif 000010
【図９】
2009015752.tif 000011
【図１０】
2009015752.tif 000012
【図１１】
2009015752.tif 000013